(57)【特許請求の範囲】
【請求項１】
パチンコ遊技機に設けられて遊技球を貯留する球受け皿と、球発射装置との間に配設される球送り装置において、
前記球受け皿から遊技球を順次導入する球導入口部と、当該球導入口部により導入された遊技球を前記球発射装置側に送る球送り口部とを有する筐体と、
前記球導入口部により導入された遊技球を前記球送り口部へ案内方向に沿い案内するように前記筐体内に設けてなる球案内路と、
当該球案内路の前記案内方向の一部内に納まったり当該案内方向の一部から突出したりするように設けられる可動部材と、
当該可動部材を突出する方向に付勢するばね手段と、
前記筐体内に設けられる回動手段と、
前記筐体内にて前記可動部材の直前の上流側に設けられる挟み込み手段とを備えて、
前記回動手段は、
支持軸と、
この支持軸に回動可能に支持される基部と、この基部から前記球案内路上に沿い前記球導入口部に向けて開口可能に凹部を形成してなる受承部とを有する球受け部材とを具備して、
前記球受け部材が前記受承部を前記凹部にて前記球導入口部に向け開口させる回動位置にあるとき、前記球導入口部により導入される遊技球を前記受承部により前記凹部にて受承し、然る後、前記球受け部材が前記受承部を前記凹部にて前記球導入口部から回動することで、前記遊技球に後続する遊技球の前記球導入口部による導入を前記受承部により前記凹部の開口端部にて阻止するとともに、前記受承遊技球を前記球案内路上に放出して前記球案内路により前記球送り口部から前記球発射装置側へ送るようになっており、
前記可動部材は、前記球案内路による前記受承遊技球の案内過程において当該受承遊技球によりその自重のもとに前記ばね手段に抗して押動されて前記球案内路の前記案内方向の前記一部内に納まり、前記受承遊技球の自重からの開放に伴い前記ばね手段により前記案内方向の前記一部から突出されるようになっており、
前記挟み込み手段は、
前記可動部材に連動して傾動する長手状挟み込み部材を有して、
当該長手状挟み込み部材を、前記可動部材の前記案内方向の前記一部内への納まりに応じ前記筐体を通り傾動させて前記球案内路を塞ぎ、また、前記長手状挟み込み部材を、前記可動部材の前記案内方向の前記一部からの突出に応じて前記筐体を通り傾動させて前記球案内路を解放するようにしたことを特徴とする球送り装置。
【請求項２】
前記挟み込み手段は、前記可動部材と一体的に回動する一側傘歯車であって、前記可動部材の前記球案内路の前記案内方向の前記一部内への納まりに応じて一方向に回動し、前記可動部材の前記案内方向の前記一部からの突出に応じて他方向へ回動する一側傘歯車と、この一側傘歯車に噛合するように前記筐体の一部に回動可能に支持される他側傘歯車であって前記一側傘歯車の一方向或いは他方向への回動に応じて一方向或いは他方向へ回動する他側傘歯車とを備えて、
前記長手状挟み込み部材は、前記他側傘歯車の一方向或いは他方向への回動に応じて前記筐体を通り前記球案内路を塞ぎ或いは解放するように傾動することを特徴とする請求項１に記載の球送り装置。
【請求項３】
球受け皿と球発射装置との間に介装してなる球送り装置を備えるパチンコ遊技機において、
前記球送り装置は、請求項１または２に記載の球送り装置であり、
前記球発射装置は、前記球送り装置により前記球送り口部から送られる遊技球を発射するようにしたパチンコ遊技機。
【発明の詳細な説明】
【技術分野】
【０００１】
本発明は、球送り装置及びこの球送り装置を備えるパチンコ遊技機に関する。
【背景技術】
【０００２】
従来、この種の球送り装置としては、下記特許文献に記載の球送り装置が提案されている。この球送り装置においては、球送り部材が、その磁性板にて電磁石によりそのオンのもとに吸引されて回動し、球受け皿から導入口を通して送り込まれた球列の先頭球を球受け部に取り込んだ後、電磁石のオフに伴い上記球受け部を下方に回動して、上記先頭球を送出口から球発射レールに送出するようになっている。
【先行技術文献】
【特許文献】
【０００３】
【特許文献１】特開２００２−３３１０８０号公報
【発明の概要】
【発明が解決しようとする課題】
【０００４】
ところで、この種の球送り装置において、糸の先端部を遊技球の外面に固着した糸付き遊技球が、不正遊技者等により、球受け皿から球送り装置内に送り込まれると、当該糸付き遊技球は、球送り部材を介しその球受け部内に取り込まれた後、送出口から球発射レールに送出されて、発射装置により遊技盤の遊技領域に向けて発射される。これに伴い、糸付き遊技球は、その糸とともに遊技盤の盤面に沿い移動していくこととなる。このとき、上記糸の後端部は、球受け皿内にて、不正遊技者等により把持されている。
【０００５】
このため、不正遊技者等が、糸の後端部を把持しながら、上述のような糸付き遊技球の遊技盤の盤面に沿う転動状態にて、当該遊技球を不正に操ることで、遊技球を電動チューリップ等へ入賞を画策するおそれがある。
【０００６】
そこで、本発明は、以上のようなことに対処するため、球受け皿から球発射装置への遊技球の送り構成に工夫を凝らし、糸付き遊技球を用いた遊技盤の盤面における不正行為を未然に防止するようにした球送り装置及びこの球送り装置を備えるパチンコ遊技機を提供することを目的とする。
【課題を解決するための手段】
【０００７】
上記課題の解決にあたり、本発明に係る球送り装置は、請求項１の記載によれば、
パチンコ遊技機に設けられて遊技球を貯留する球受け皿（Ｓ）と、球発射装置（１０）との間に配設されるものである。
【０００８】
当該球送り装置において、
球受け皿から遊技球を順次導入する球導入口部（２４ｃ）と、当該球導入口部により導入された遊技球を球発射装置側に送る球送り口部（２２ｆ）とを有する筐体（２１、２２、２３、２４）と、
上記球導入口部により導入された遊技球を上記球送り口部へ案内方向に沿い案内するように筐体内に設けてなる球案内路（２４ｇ）と、
当該球案内路の上記案内方向の一部（２４ｈ）内に納まったり当該案内方向の一部から突出したりするように設けられる可動部材（２６）と、
当該可動部材を突出する方向に付勢するばね手段（２６ａ）と、
筐体内に設けられる回動手段（Ｂ、Ｃ）と、
筐体内にて可動部材の直前の上流側に設けられる挟み込み手段（Ｄ）とを備える。
【０００９】
ここで、回動手段は、
支持軸（２９）と、
この支持軸に回動可能に支持される基部と、この基部から球案内路上に沿い上記球導入口部に向けて開口可能に凹部（２７ａ）を形成してなる受承部（２７ａ、２７ｂ、２７ｃ）とを有する球受け部材（２７）とを具備して、
球受け部材が上記受承部を上記凹部にて上記球導入口部に向け開口させる回動位置にあるとき、上記球導入口部により導入される遊技球を上記受承部により上記凹部にて受承し、然る後、球受け部材が上記受承部を上記凹部にて上記球導入口部から回動することで、上記遊技球に後続する遊技球の上記球導入口部による導入を上記受承部により上記凹部の開口端部にて阻止するとともに、上記受承遊技球を球案内路上に放出して球案内路により上記球送り口部から球発射装置側へ送るようになっており、
可動部材は、球案内路による上記受承遊技球の案内過程において当該受承遊技球によりその自重のもとにばね手段に抗して押動されて球案内路の上記案内方向の上記一部内に納まり、上記受承遊技球の自重からの開放に伴いばね手段により上記案内方向の上記一部から突出されるようになっており、
挟み込み手段は、
可動部材に連動して傾動する長手状挟み込み部材（４２）を有して、
当該長手状挟み込み部材を、可動部材の上記案内方向の上記一部内への納まりに応じ筐体を通り傾動させて球案内路を塞ぎ、また、長手状挟み込み部材を、可動部材の上記案内方向の上記一部からの突出に応じて筐体を通り傾動させて球案内路を解放するようにしたことを特徴とする。
【００１０】
これによれば、球導入口部により導入される遊技球が、回動手段の球受け部材によりその受承部の凹部内に受承された後、球受け部材が、その受承部を回動することで、上記遊技球に後続する遊技球の球導入口部による導入を受承部により凹部の開口端部にて阻止するとともに、上記受承遊技球を球案内路上に放出して当該球案内路により球送り口部から前記球発射装置側へ送る。
【００１１】
ここで、傾動部材は、球案内路による上記受承遊技球の案内過程において当該受承遊技球によりその自重のもとにばね手段に抗して押動されて球案内路の案内方向の一部内に納まり、前記受承遊技球の自重からの開放に伴いばね手段により上記案内方向の上記一部から突出される。
【００１２】
一方、筐体内にて可動部材の直前の上流側に設けられる挟み込み手段は、その長手状挟み込み部材でもって、可動部材の上記案内方向の上記一部内への納まりに応じ筐体を通り傾動して球案内路を塞ぎ、然る後、可動部材の上記案内方向の上記一部からの突出に応じて筐体を通り傾動して球案内路を解放する。
【００１３】
従って、上述のように球導入口部により導入される遊技球が、糸付き遊技球であっても、当該糸付き遊技球は、球案内路により可動部材に向けて案内される。すると、可動部材は、糸付き遊技球によりその自重のもとにばね手段に抗して押動されて球案内路の案内方向の一部内に納まった後、当該糸付き遊技球の自重から開放されて、上記案内方向の上記一部から突出する。
【００１４】
このような過程においては、糸付き遊技球は、可動部材を介し糸を付随させながら案内されることになる。一方、長手状挟み込み部材が、可動部材の上記案内方向の上記一部内への納まりに応じ筐体を通り傾動して糸を介し球案内路を塞ぐ。
【００１５】
これに伴い、長手状挟み込み部材が、糸付き遊技球の糸を挟み込むこととなる。従って、このように挟み込まれた糸付き遊技球は、自由に移動できなくなり、球発射装置側へは移動することができなくなったり、また、発射されても遊技領域まで到達することが困難になる。その結果、糸付き遊技球を用いた不正行為が未然に防止され得る。
【００１６】
また、本発明は、請求項２の記載によれば、請求項１に記載の発明において、
挟み込み手段は、可動部材と一体的に回動する一側傘歯車であって、可動部材の球案内路の上記案内方向の上記一部内への納まりに応じて一方向に回動し、可動部材の上記案内方向の上記一部からの突出に応じて他方向へ回動する一側傘歯車（４０ａ）と、この一側傘歯車に噛合するように筐体の一部に回動可能に支持される他側傘歯車であって一側傘歯車の一方向或いは他方向への回動に応じて一方向或いは他方向へ回動する他側傘歯車（４０ｂ）とを備えて、
長手状挟み込み部材は、他側傘歯車の一方向或いは他方向への回動に応じて筐体を通り球案内路を塞ぎ或いは解放するように傾動することを特徴とする
このように構成することで、請求項１に記載の発明の作用効果がより一層確実に達成され得る。
【００１７】
また、本発明は、請求項３の記載によれば、球受け皿（Ｓ）と球発射装置（１０）との間に介装してなる球送り装置を備えるパチンコ遊技機において、
前記球送り装置は、請求項１または２に記載の球送り装置（２０）であり、
前記球発射装置は、前記球送り装置により前記球送り口部から送られる遊技球を発射するようにしたものである。
【００１８】
これにより、請求項１或いは２に記載の発明の作用効果を達成し得る球送り装置を備えたパチンコ遊技機の提供が可能となる。
【００１９】
なお、請求項１に記載の発明は、パチンコ遊技機に設けられる遊技球を貯留する球受け皿（Ｓ）と、球発射装置（１０）との間に配設される球送り装置において、
球受け皿から遊技球を順次導入する球導入口部（２４ｃ）と、上記球導入口部により導入された遊技球を案内方向に案内する球案内路（２４ｇ）と、上記球導入口部の開口方向から横方向に位置ずれして設けられて球案内路により案内される遊技球を球発射装置側に送る球送り口部（２２ｆ）とを有して、
当該球送り口部を、上記球導入口部の開口方向から横方向に位置ずれして設け、また、球案内通路を、上記球導入口部により導入された遊技球を上記球導入口部の上記開口方向から上記横方向に案内する第１案内路部（２４ｄ）と、この第１案内路部により案内された遊技球を上記球送り口部に向けて案内する第２案内路部（２４ｆ）とにより構成してなる筐体（２１、２２、２４）と、
上記第２案内路部の案内方向の一部に上方から形成された凹所（２４ｈ）内にて筐体の上記凹所に対する対応部位及び上記凹所に挿通支持してなる横方向軸（２６ｂ）により一体的に支持されて上下方向に傾動可能に上記案内方向に向け延出する傾動板（２６）と、
当該傾動板を上方に向けて付勢するばね手段（２６ａ）と、
筐体内に設けられる横方向回動手段（Ｂ、Ｃ）及び挟み込み手段（Ｄ）とを備えて、
横方向回動手段は、
上記球導入口部に対向する位置にて上下方向に延在するように支持される支持軸（２９）と、
この支持軸に横方向に回動可能に支持される板状基部と、この板状基部から上記第１案内路部上に沿い上記球導入口部に向けて開口可能に凹部（２７ａ）を形成してなる受承部（２７ａ、２７ｂ、２７ｃ）とを有する球受け板（２７）とを具備して、
球受け板が上記受承部を上記凹部にて上記球導入口部に向け開口させる回動位置にあるとき、上記球導入口部により導入される遊技球を上記受承部により上記凹部にて受承し、然る後、球受け板が上記受承部を上記凹部にて上記球導入口部から上記第１及び第２の案内路部の境界側へ回動することで、上記遊技球に後続する遊技球の上記球導入口部による導入を上記受承部により上記凹部の開口端部にて阻止するとともに、上記受承遊技球を上記第１案内路部上に放出して上記第２案内路部により上記球送り口部から球発射装置側へ送るようになっており、
傾動板は、上記第２案内路部による上記受承遊技球の案内過程において当該受承遊技球によりその自重でもってばね手段に抗して上方から押動されて上記凹所内へ傾動し、上記受承遊技球の自重からの開放に伴いばね手段により上記凹所から上方へ傾動するようになっており、
挟み込み手段は、
上記横方向軸の回動に連動して傾動する長手状挟み込み部材（４２）を有して、
当該長手状挟み込み部材がその挟み込み部（４４）にて上記第２案内路部にその上面から対向するように、長手状挟み込み部材を、傾動板の上記凹所内への傾動に伴う上記横方向軸の回動に応じ筐体の上記凹所に対する対応部位に形成した挟み込み開口部を通して傾動させ、また、長手状挟み込み部材がその挟み込み部にて上記第２案内路部の上面から離れるように、長手状挟み込み部材を、傾動板の上記凹所から上方への傾動に伴う上記横方向軸の回動に応じて上記挟み込み開口部から脱出する向きに傾動させるようにしたことを特徴とする球送り装置であってもよい。
【００２０】
ここで、挟み込み手段は、上記横方向軸に同軸的に支持されて当該横方向軸と一体的に回動する一側傘歯車であって、傾動板の上記凹所内への傾動に伴う上記横方向軸の回動に応じて一方向に回動し、傾動板の上記凹所から上方への傾動に伴う上記横方向軸の回動に応じて他方向へ回動する一側傘歯車（４０ａ）と、この一側傘歯車に噛合するように筐体の一部に回動可能に支持される他側傘歯車であって一側傘歯車の一方向或いは他方向への回動に応じて一方向或いは他方向へ回動する他側傘歯車（４０ｂ）とを備えて、
長手状挟み込み部材は、その傾動基部にて他側傘歯車に支持されて、当該他側傘歯車の一方向或いは他方向への回動に応じて筐体の上記挟み込み開口部を通り或いは当該挟み込み開口部から脱出するように傾動するようにしてもよい。
【発明の効果】
【００２１】
本発明によれば、糸付き遊技球が、導入口部により導入されて球案内路により案内されても、糸付き遊技球の糸が、球案内路の案内方向の一部内への納まりに応じて傾動する長手状挟み込み部材により挟み込まれる。従って、糸付き遊技球が発射装置側へ送られることがなく、当該糸付き遊技球を用いた不正行為が未然に防止され得る。
【００２２】
なお、上記各手段の括弧内の符号は、後述する実施形態に記載の具体的手段との対応関係を示す。
【図面の簡単な説明】
【００２３】
【図１】本発明が適用されるパチンコ遊技機の一実施形態を示す斜視図である。
【図２】図１に示すパチンコ遊技機において、球送り装置及び球発射装置の組付位置を表した拡大斜視図である。
【図３】図１に示すパチンコ遊技機において、球送り装置と球発射装置との位置関係を示す斜視図である。
【図４】図３において、球送り装置を球発射装置から分解した状態を示す分解斜視図である。
【図５】図３の球送り装置の斜視図である。
【図６】図３の球送り装置の分解斜視図である。
【図７】図３の球送り装置の要部を前側から見た状態で示す斜視図である。
【図８】図７の球送り装置の要部を後側から見た状態で示す斜視図である。
【図９】図７の球送り装置の要部を後側から見た状態で示す斜視図である。
【図１０】図７の球送り装置の要部を後側から見た状態で示す拡大図である。
【図１１】図１０の球送り装置の要部の側面図である。
【図１２】図３の球送り装置の要部を後側から見た状態で示す斜視図である。
【図１３】図３の球送り装置の動作説明図である。
【図１４】図３の球送り装置の動作説明図である。
【図１５】図３の球送り装置の動作説明図である。
【図１６】図３の球送り装置の動作説明図である。
【図１７】図３の球送り装置の動作説明図である。
【図１８】（ａ）及び（ｂ）は、それぞれ、図３の球送り装置の動作を、傾動板及び球挟み込み機構の動作との関係にて示す動作説明図である。
【発明を実施するための形態】
【００２４】
以下、本発明の一実施形態を図面により説明する。
【００２５】
図１は、本発明が適用されるパチンコ遊技機の一実施形態を示している。当該パチンコ遊技機は、パチンコホール（図示しない）内の島（図示しない）に立設されるもので、このパチンコ遊技機は、機枠ＰＦと、この機枠ＰＦに対し前後方向に開閉可能に支持してなる遊技機本体ＢＤ及び前扉ＦＤとにより構成されている。
【００２６】
なお、図１において、図示左側斜め後方及び図示右側斜め前方は、当該パチンコ遊技機の左方及び右方に対応し、図示左側斜め前方及び図示右側斜め後方は、当該パチンコ遊技機の前方及び後方に対応し、図示上下方向は、当該パチンコ遊技機の上下方向に対応する。
【００２７】
遊技機本体ＢＤは、機枠ＰＦに前後方向へ回動可能に支持してなる本体枠ＢＦと、この本体枠ＢＦにその前面側から嵌装してなる遊技盤ＢＢとにより構成されている。
【００２８】
前扉ＦＤは、図１にて示すごとく、前枠ＦＤ１と、窓ガラスＦＤ２と、球受け皿Ｓとを備えており、前枠ＦＤ１は、その左縁部にて、遊技機本体ＢＤの左縁部を介し、機枠ＰＦの左縁部に前後方向に回動可能に支持されている。
【００２９】
球受け皿Ｓは、前枠ＦＤ１の下部から前方へ突出するように形成されており、この球受け皿Ｓには、凹状貯留部Ｓ１が、上方に向けて開口するように設けられている。
【００３０】
しかして、この球受け皿Ｓは、遊技機本体ＢＤの本体枠ＢＦ（後述する）の上部内に設けた球タンク（図示しない）から、遊技球を、本体枠ＢＦ内の球通路（図示しない）を通して順次供給されて、凹状貯留部Ｓ１内に貯留する。
【００３１】
また、当該球受け皿Ｓは、その凹状貯留部Ｓ１の下流部位である底壁右側部位に左右方向に長手凹状に形成してなる球整列部（図示しない）にて、凹状貯留部Ｓ１の右側壁部に形成した開口部（図示しない）から、凹状貯留部Ｓ１内の各遊技球を順次球送り装置２０に向け導出するようになっている。
【００３２】
遊技盤ＢＢには、ガイドレール、多数の遊技釘、大入賞口装置や始動入賞口装置など遊技者に有利な遊技状態を与えるための装置、その他の各種の盤面部品（図示しない）が設けられている。
【００３３】
ここで、上記ガイドレールは、内側レール部及び外側レール部を有しており、これら内側レール部及び外側レール部は、遊技盤ＢＢの盤面の外周部に沿い組み付けられて、その内周側において、遊技盤ＢＢの盤面上に遊技領域を形成している。なお、上記内側レール部は、上記外側レール部の内周側に位置している。また、多数の遊技釘は、遊技盤ＢＢの盤面に上記遊技領域内にて分散して打ち込まれている。
【００３４】
当該パチンコ遊技機は、図１或いは図２にて示すごとく、ハンドルＨ、球発射装置１０及び球送り装置２０を備えている。ハンドルＨは、図１にて示すごとく、遊技機本体ＢＤの本体枠ＢＦの右下側隅角部にその前面側から回動操作可能に支持されている。
【００３５】
球発射装置１０は、遊技盤ＢＢの右下部にその前面側から組み付けられており、この球発射装置１０は、ロータリーソレノイド１１（図２参照）、ケーシング１２、球発射レール１３（図３及び図４）や、ケーシング１２内に収容してなる長手状の槌（図示しない）などを備えて構成されている。なお、図２では、球発射装置１０は、球送り装置２０と共に、便宜状、実線により描かれている。
【００３６】
ロータリーソレノイド１１は、ハンドルＨの後述する操作に伴い動作状態におかれて、上記槌を、その後退回動位置から球発射レール１３に向け傾動させ、当該槌の槌部を球発射レール１３の球発射端部に対向させる。
【００３７】
これにより、上記槌は、その槌部にて、球発射レール１３の球発射端部に球送り装置２０から後述のように送られる遊技球を打って、球発射レール１３に沿い発射させる。これに伴い、このように発射された遊技球は、上記ガイドレールの内側レール部及び外側レール部の間に沿い上記遊技領域内に向け案内される。
【００３８】
球発射レール１３は、その球発射基端部にて、ケーシング１２内の上記槌の槌部に対向し得るように、遊技盤ＢＢの盤面にケーシング１２から上記ガイドレールに向けて左側上方へ傾斜状に配設されている。
【００３９】
球送り装置２０は、図２或いは図３から分かるように、球受け皿Ｓと球発射装置１０との間において、前枠ＦＤ１の右側下部にその後面側から球発射装置１０に対向可能に組み付けられている。
【００４０】
当該球送り装置２０は、図２〜図６のいずれかに示すごとく、ケーシング２３を備えており、このケーシング２３は、前側ケーシング部材２１及び後側ケーシング部材２２でもって構成されている。
【００４１】
これら前側ケーシング部材２１及び後側ケーシング部材２２は、それぞれ、球受け皿Ｓ側及び球発射装置１０側に位置するようにケーシング２３を２分割して形成されており、当該前側ケーシング部材２１及び後側ケーシング部材２２は、互いにその開口部にて係合されて、ケーシング２３を構成している。
【００４２】
具体的には、前側ケーシング部材２１は、その各筒部ａ〜ｅ（図６参照）を、それぞれ、当該各筒部ａ〜ｅに対する後側ケーシング部材２２の各対応部位ｆ〜ｊ（図６参照）に前側から当接させることで、前側ケーシング部材２１は、その後端開口部にて、後側ケーシング部材２２の前端開口部に係合されて、各筒部ａ〜ｅを介し各対応のねじ（図示しない）の締着でもって、後側ケーシング部材２２に組み付けられている。
【００４３】
前側ケーシング部材２１は、図６にて示すごとく、その底壁であるＬ字状前壁の外周縁部から周壁部を後方へ屈曲するように延出させて形成されている。ここで、前側ケーシング部材２１のＬ字状前壁は、上側前壁部及び下側前壁部でもって形成されており、当該下側前壁部は、上記上側前壁部の下縁に沿い左側へ延出されて、当該上側前壁部と共に、上記Ｌ字状前壁を構成している。
【００４４】
当該前側ケーシング部材２１の上記下側前壁部は、図６にて示すごとく、後側ケーシング部材２２の逆Ｌ字状開口部２２ａ（後述する）に対向するように、逆Ｌ字状開口部２１ａを有しており、この逆Ｌ字状開口部２１ａは、前側ケーシング部材２１の上記下側前壁部の左右方向中央部位に形成してなる中央側開口部位と、この中央側開口部位と一体となって上記下側前壁部の左側部位に形成してなる左側開口部位とでもって構成されている。
【００４５】
ここで、当該左側開口部位は、上記中央側開口部位の左縁に沿い下側へ延出されて、当該中央側開口部位と共に逆Ｌ字状開口部２１ａを構成するように上記下側前壁部の左側部位に形成されている。
【００４６】
後側ケーシング部材２２は、図６にて示すごとく、その底壁であるＬ字状後壁の外周縁部から周壁部を前方へ屈曲するように延出させて形成されている。ここで、後側ケーシング部材２２のＬ字状後壁は、前側ケーシング部材２１の上記上側前壁部及び上記下側前壁部にそれぞれ対向する上側後壁部及び下側後壁部でもって形成されており、当該下側後壁部は、上記上側後壁部の下縁に沿い左側へ延出されて、当該上側後壁部と共に、上記Ｌ字状後壁を構成している。
【００４７】
当該後側ケーシング部材２２の上記下側後壁部は、図６にて示すごとく、前側ケーシング部材２１の開口部２１ａに対向するように逆Ｌ字状開口部２２ａを有しており、この逆Ｌ字状開口部２２ａは、後側ケーシング部材２２の上記下側後壁部の左右方向中央部位に形成してなる中央側開口部位と、この中央側開口部位と一体となって上記下側後壁部の左側部位に形成してなる左側開口部位２２ｂとでもって構成されている。
【００４８】
ここで、当該後側ケーシング部材２２の左側開口部位２２ｂは、前側ケーシング部材２１の開口部２１ａの左側開口部位に対向するように当該後側ケーシング部材２２の上記中央側開口部位の左縁に沿い下側へ延出され、かつ、当該中央側開口部位と共に逆Ｌ字状開口部２２ａを構成するように当該後側ケーシング部材２２の上記下側後壁部の左側部位に形成されている。なお、左側開口部位２２ｂは、その右上側隅角部にて、後側ケーシング部材２２の上記中央側開口部位の左下側隅角部と一体となって相互に連通している。
【００４９】
本実施形態では、後側ケーシング部材２２の開口部２２ａのうちの左側開口部位２２ｂが、その後述する球導入体Ａ（図６参照）の対応部位と共に、球発射レール１３の前側にて、当該球発射レール１３の球発射基端部の直上に位置して、球送り装置２０の後述する球送り口部２２ｆ（図５参照）を構成しており、この球送り口部２２ｆが、遊技球を球発射装置１０の球発射レール１３の球発射基端部側に送る役割を果たす。
【００５０】
また、当該球送り装置２０は、図６にて示すごとく、球導入体Ａ、横方向回動体Ｂ及び電磁駆動体Ｃを備えており、これら球導入体Ａ、横方向回動体Ｂ及び電磁駆動体Ｃは、ケーシング２３内に収容されている。
【００５１】
球導入体Ａは、前側ケーシング部材２１のＬ字状開口部２１ａと後側ケーシング部材２２のＬ字状開口部２２ａとの間に位置するように、後側ケーシング部材２２の後壁の上記下側後壁部にその前側から組み付けられている（図６参照）。
【００５２】
当該球導入体Ａは、図６にて示すごとく、球導入部材２４を備えている。この球導入部材２４は、球導入壁部２４ａ及び環状壁部２４ｂを有しており、球導入壁部２４ａには、球導入口部２４ｃが、球受け皿Ｓからの遊技球を球導入部材２４内に導入するように形成されている。
【００５３】
環状壁部２４ｂは、球導入壁部２４ａの外周縁部から後方へ環状に延出するように形成されている。ここで、この環状壁部２４ｂは、その右壁部、上壁部及び下壁部（以下、案内路部２４ｄともいう）にて、球導入壁部２４ａの右縁部、上縁部及び下縁部からそれぞれ後方へＬ字状に延出されており、当該環状壁部２４ｂの左壁部は、球導入壁部２４ａの左縁部を前方に緩やかに凸な湾曲状に後方へ延出させることで形成されている。
【００５４】
また、球導入部材２４は、左側壁部２４ｅと、環状壁部２４ｂの下壁部である案内路部２４ｄと共に球案内路２４ｇを構成する案内路部２４ｆとを有する。ここで、左側壁部２４ｅは、環状壁部２４ｂの左壁部から後方へ延出されている。また、案内路部２４ｆは、左側壁部２４ｅの下縁部から右側へＬ字状に延出されており、当該案内路部２４ｆは、案内路部２４ｄの左端部から左側壁部２４ｅの下縁部に沿うように後方へ延出されて、さらに、後側ケーシング部材２２の逆Ｌ字状開口部２２ａの左側開口部位２２ｂを通り球発射レール１３の球発射基端部側へ延出している。これにより、本実施形態では、案内路部２４ｆの延出端部、左側壁部２４ｅ及び左側開口部位２２ｂの右側内縁部２２ｃでもって形成れるＵ字状開口部が、球送り口部２２ｆ（図５参照）を構成する。
【００５５】
本実施形態では、後述のごとく、球導入口部２４ｃから導入される遊技球を案内路部２４ｄから案内路部２４ｆにかけてその上面に沿い円滑に案内するため、案内路部２４ｆは、その上面にて、案内路部２４ｄとの境界部位にて、案内路部２４ｄよりも下方へ階段状に低く位置するように当該案内路部２４ｄから延出されている。また、案内路部２４ｆは、その延出方向に沿い順次下方へ傾斜している。なお、導入路２４ｆは、球導入口部２４ｃ内に導入される遊技球を、案内路部２４ｄから案内路部２４ｆにかけて後述のように球発射レール１３側へ案内する役割を果たす。
【００５６】
また、当該球導入体Ａは、図６にて示すごとく、球導入部材２４と一体的に形成した収容部材２５を備えており、この収容部材２５は、横方向回動体Ｂを横方向に回動可能に収容する役割を果たす。当該収容部材２５は、底壁部２５ａを有しており、この底壁部２５ａは、球導入部材２４の案内路部２４ｄの後縁下端部から後方へ案内路部２４ｄと平行に延出されている。なお、底壁部２５ａは、その上面にて、導入部材２４の案内路部２４ｆの上面よりも上方へ高く位置するように形成されている。
【００５７】
また、当該収容部材２５は、図６にて示すごとく、両Ｌ字状壁部２５ｂ、２５ｃを有しており、Ｌ字状壁部２５ｂは、底壁部２５ａの右端部から上方及び左方へＬ字状に延出されている。Ｌ字状壁部２５ｃは、底壁部２５ａの左端部から下方及び左方へＬ字状に延出されており、当該Ｌ字状壁部２５ｃは、その延出端部にて、案内路部２４ｆの左縁下部と一体となっている（図１２参照）。
【００５８】
ここで、上述した後側ケーシング部材２２における左側開口部位２２ｂの右側内縁部２２ｃを形成する突出壁部２２ｅ（図６参照）が、Ｌ字状壁部２５ｃの下方への延出壁部と球導入部材２４の案内路部２４ｆとの間にて、Ｌ字状壁部２５ｃの左方への延出壁部上に沿い介装されている。これにより、突出壁部２２ｅが、球導入部材２４の左側壁部２４ｅの右側面及び案内路部２４ｆの上面に沿い案内される遊技球を案内路部２４ｆの上面から右側へ外れないように円滑に球送り口部２２ｆに向けて案内する役割を兼ねている。
【００５９】
本実施形態では、突出壁部２２ｅは、後側ケーシング部材２２のＬ字状開口部２２ａにおいてその上記中央側開口部位の下側内縁部２２ｄの左端部（図６参照）と左側開口部位２２ｂの右端部との間において、後側ケーシング部材２２の上記下側後壁部から前方へ突出形成されており、当該突出壁部２２ｅは、その上面にて、収容部材２５の底壁部２５ａの上面と同一平面状に位置して、球受け板２７（後述する）の左方への回動の邪魔にならないように形成されている。
【００６０】
また、当該球導入体Ａは、図６にて示すごとく、矩形板状傾動板２６を備えており、この傾動板２６は、案内路部２４ｆの球案内方向中間部位に形成してなる凹所２４ｈ（図６参照）内にて、コイル状捩りばね２６ａを介し次のようにして上下方向に傾動可能に支持されて、後方に向け延出している。なお、凹所２４ｈは、案内路部２４ｆの球案内方向中間部位にその上面から下方に向けコ字状に形成されている。
【００６１】
当該傾動板２６は、左右両側円筒部２６ｂ（図６参照）を有しており、当該左右両側円筒部２６ｂは、互いに左右に同軸的に対向するように、傾動板２６の基端部のうちその左右両側部位に下方へ突出して形成されている。
【００６２】
また、ピン２６ｂは、その基端部にて、左側壁部２４ｅのうち凹所２４ｈ内空所前部に対する対応部位に形成した貫通孔部に回動可能に挿通され、かつ、凹所２４ｈ内空所前部内に位置する傾動板２６の左側円筒部２６ｂ、コイル状捩りばね２６ａのコイル部及び傾動板２６の右側円筒部２６ｂに挿通されており、このピン２６ｂの挿通先端部は、ケーシング部材２２におけるその左側開口部位２２ｂの右側内縁部（以下、右側内縁部２２ｃともいう）に回動可能に支持されている。ここで、傾動板２６の左右両側円筒部２６ｂは、ピン２６ｂの基端部に相対回動不能に支持されている。このことは、ピン２６ｂが、傾動板２６と一体となって、当該傾動板２６の傾動方向に回動することを意味する。
【００６３】
また、コイル状捩りばね２６ａは、上述のごとく凹所２４ｈ内にてピン２６ｂの基端部に同軸的に嵌装されており、当該コイル状捩りばね２６ａは、その両端部にて、凹所２４ｈの底面部及び傾動板２６の下面部に係止している。これにより、傾動板２６は、ピン２６ｂを軸として、上方に向け傾動するように、コイル状捩りばね２６ａにより付勢されている。
【００６４】
しかして、傾動板２６は、コイル状捩りばね２６ａに抗して凹所２４ｈの底面部に向けて、ピン２６ｂの軸周りに傾動することで、凹所２４ｈ内に収容されるようになっている。また、当該傾動板２６は、コイル状捩りばね２６ａの付勢力により、ピン２６ｂの軸周りに上方へ傾動することで、凹所２４ｈから上方へ傾斜状に突出するようになっている。なお、傾動板２６が上述のごとく凹所２４ｈ内に収容された状態では、当該傾動板２６の上面は、案内路部２４ｆの上面と同一面を構成するようになっている。
【００６５】
横方向回動体Ｂは、図６にて示すごとく、球受け板２７を有しており、この球受け板２７は、円筒状ボス２８にて、支持軸２９を介し、横方向に回動可能となるように、後側ケーシング部材２２のＬ字状開口部２２ａのうちの上記中央側開口部位の下側内縁部２２ｄの左端部（図６参照）に支持されている。支持軸２９は、その基端部にて、Ｌ字状開口部２２ａのうちの上記中央側開口部位の下側内縁部２２ｄに上方から支持されており、当該支持軸２９は、その基端部から上方へ延出している。
【００６６】
ここで、円筒状ボス２８は、球受け板２７の基端部から下方へ円筒状に延出されている。これに伴い、当該球受け板２７は、その下面にて、支持軸２９により、円筒状ボス２８を介し、球導入部材２４の案内路部２４ｄの上面に平行となるように維持されている。なお、球受け板２７は、その基端部から球導入部材２４の環状部２４ｂ内に延出している。
【００６７】
当該球受け板２７は、凹部２７ａを有しており、この凹部２７ａは、球受け板２７の延出端側中間部位を球受け板２７の基端部側へ湾曲凹状に切り欠くことで、形成されている。これに伴い、球受け板２７の延出端部には、凹部２７ａを挟んでその左右両側において、左右両側腕部２７ｂ、２７ｃが形成されている。なお、凹部２７ａは、その内部に遊技球を受承可能に形成されている。このことは、当該凹部２７ａは、球受け部としての役割を有することを意味する。
【００６８】
このように構成した横方向回動体Ｂにおいては、球受け板２７は、凹部２７ａにて、球導入部材２４の球導入口部２４ｃに対向しているとき、当該球受け板２７は、球導入口部２４ｃから導入される遊技球を案内路部２４ｄ上にて凹部２７ａ内に受承する。また、当該球受け板２７は、その左側への回動に伴い、右側腕部２７ｃにて、球導入口部２４ｃに対向して当該球導入口部２４ｃからの後続の遊技球の導入を阻止しつつ、上述のように受承した遊技球を案内路部２４ｆ上に放出する。
【００６９】
電磁駆動体Ｃは、ケーシング２３内にて前側ケーシング部材２１の上記上壁部側に収容されている（図６参照）。当該電磁駆動体Ｃは、図６にて示すごとく、電磁石３０ａと、鉄板等の磁性板からなる傾動レバー３０ｂと、圧縮コイルスプリング３０ｃとにより構成されており、電磁石３０ａは、その前壁にて、前側ケーシング部材２１の上記上壁部に組み付けられている。
【００７０】
ここで、当該電磁石３０ａは、ソレノイドを棒状鉄心に同軸的に巻装してなるもので、この電磁石３０ａは、その棒状鉄心の軸にて、左右方向に沿うように前側ケーシング部材２１の上記上壁部に組み付けられている。これに伴い、当該電磁石３０ａは、その棒状鉄心の左側端部（吸引端部）にて、左方を臨んでいる。
【００７１】
このように構成した電磁石３０ａにおいては、そのソレノイドが、制御回路３０ｄ（図７参照）からの電圧の印加により励磁されたとき、上記棒状鉄心が、その吸引端部にて、吸引力を発生する。また、この吸引力は、上記ソレノイドが、制御回路３０ｄからの電圧の印加の停止により消磁されたとき、消滅する。
【００７２】
傾動レバー３０ｂは、その基端部にて、電磁石３０ａの上壁右端部に左右方向に傾動可能に支持されており、当該傾動レバー３０ｂは、その基端部から下方に向けて長手状に延出している。
【００７３】
しかして、当該傾動レバー３０ｂは、その長手方向中間部位にて、電磁石３０ａのソレノイドの励磁に伴い、上記棒状鉄心の吸引端部により吸引される。また、この吸引は、電磁石３０ａのソレノイドの消磁により、停止される。
【００７４】
本実施形態において、当該傾動レバー３０ｂは、係止端部３１を有しており、この係止端部３１は、傾動レバー３０ｂの延出端部の幅方向両側部を切除することで形成されている。しかして、この傾動レバー３０ｂは、その係止端部３１にて、球受け板２７の上面に形成した左右両側円弧状係止片２７ｄの間に介装されている。ここで、当該左右両側係止片２７ｄは、球受け板２７の上面にその左右方向に互いに所定間隔（係止端部３１の板厚よりも幾分広い間隔）をおいて突設されている。なお、当該左右両側係止片２７ｄは、その各円弧面の頂部を対向させるように突設されている。
【００７５】
圧縮コイルスプリング３０ｃは、その両端部にて、傾動レバー３０ｂの基端部に形成した突起３２と電磁石３０ａの上壁に形成した突起３３との間に張設されている。なお、突起３２は、傾動レバー３０ｂの基端部をその幅方向中間部位にて突起３２に相当する部位を残すように切り欠くことで形成されている。また、突起３３は、電磁石３０ａの上壁の中間部位を切り起こすことで形成されている。
【００７６】
これによれば、傾動レバー３０ｂは、その基端部にて、電磁石３０ａの吸引力の消滅のもとに、圧縮コイルスプリング３０ｃにより右方へ引っ張られて、係止端部３１にて、左側斜め下方に向け延出するように傾動する。このことは、横方向回動体Ｂの球受け板２７が、支持軸２９の軸周りに左方へ回動して、右側腕部２７ｃを球導入口部２４ｃに対向させることを意味する。
【００７７】
また、当該傾動レバー３０ｂは、電磁石３０ａによりその吸引力にて吸引されて、圧縮コイルスプリング３０ｃに抗して傾動する。このことは、横方向回動体Ｂの球受け板２７が、支持軸２９の軸周りに左方へ回動して、凹部２７ａを球導入口部２４ｃに対向させることを意味する。
【００７８】
また、当該球送り装置２０は、図６にて示すごとく、挟み込み機構Ｄを備えており、この挟み込み機構Ｄは、球導入部材２４の左側にて、ケーシング２３内に収容されており、当該挟み込み機構Ｄは、両傘歯車４０ａ、４０ｂ及び長手状挟み込み部材４０ｃを具備している。
【００７９】
傘歯車４０ａは、その歯部を、図６、図７、図９、図１０或いは図１１にて示すごとく、球導入部材２４の左側壁部２４ｅにその左側から対向させて、ピン２６ｂの延出端部に同軸的にかつ相対回動不能にスプライン結合により支持されている。このことは、当該傘歯車４０ａは、その歯部を左側壁部２４ｅに向けながら、ピン２６ｂとともに一体的に回動することを意味する。なお、当該傘歯車４０ａは、各ストップリング２６ｃによりピン２６ｂの延出端部に抜け止めされている。
【００８０】
傘歯車４０ｂは、傘歯車４０ａと噛合するように、支持軸４１を介し前側ケーシング部材２１の前壁のうち左下側隅角部に回動可能に支持されている。ここで、支持軸４１は、その基端部にて、前側ケーシング部材２１の前壁のうち左下側隅角部に固着されており、当該支持軸４１は、その基端部から後方へ延出している。
【００８１】
しかして、傘歯車４０ｂは、支持軸４１の延出端部に回動可能にかつ同軸的に支持されており、当該傘歯車４０ｂは、その歯部にて、傘歯車４０ａの歯部に噛合している。換言すれば、傘歯車４０ｂは、その軸にて、傘歯車４０ａの軸に対し直交するように位置して、当該傘歯車４０ａに噛合している。なお、傘歯車４０ｂは、ストップリング４１ｂにより支持軸４１の延出端部に抜け止めされている。
【００８２】
長手状挟み込み部材４０ｃは、図６、図７、図１０及び図１１のいずれかにて示すごとく、後述のように傘歯車４０ｂにその前側から相対移動不能に支持されており、この長手状挟み込み部材４０ｃは、傘歯車４０ｂの一方向への回動に連動して同一方向へ傾動して、長手状先端側傾動部４３（後述する）及び複数の挟み込み部４４（後述する）にて、球導入部材２４の左側壁部２４ｅに形成してなる長手状開口部２４ｉ（図６、図１１或いは図１２参照）を通り案内路部２４ｆに向け進入し、また、傘歯車４０ｂの他方向への回動に連動して同一方向へ傾動して、長手状開口部２４ｉから脱出するようになっている。
【００８３】
但し、長手状開口部２４ｉは、図７にて例示するごとく、球導入部材２４の左側壁部２４ｅにその前下側隅角部から斜め上側後方へ所定の傾斜角度にて長手状に延在するように形成されている。
【００８４】
当該長手状挟み込み部材４０ｃは、長手状基端側傾動部４２、長手状先端側傾動部４３及び複数の挟み込み部４４からなるもので、長手状基端側傾動部４２は、その基端部に突設した凸部４２ａ（図６参照）にて、ねじ４２ｂにより、傘歯車４０ｂの後端部に相対回動不能に締着されている。この締着は、ねじ４２ｂを、凸部４２ａに前後方向に形成した貫通孔部にその前方から挿通して傘歯車４０ｂの後端部に形成した雌ねじ孔部に螺着することで、なされている。なお、凸部４２ａは、支持軸４１の直下にて長手状基端側傾動部４２の基端部にその右側へ突出するように形成されている。
【００８５】
従って、長手状基端側傾動部４２は、その基端部にて、支持軸４１の左側に位置するように凸部４２ａを介し傘歯車４０ｂの後端部に支持されており、当該長手状基端側傾動部４２は、その基端部から支持軸４１の軸に対し上記所定の傾斜角度をなすように上側後方へ傾斜状に延出している。
【００８６】
長手状先端側傾動部４３は、長手状基端側傾動部４２の延出端部から当該長手状基端側傾動部４２に対し所定の鈍角をなすように左側へ屈曲して延出されている。本実施形態では、上記所定の鈍角は、案内路部２４ｆの延出方向への傾斜度合いにあわせて、長手状先端側傾動部４３を、長手状基端側傾動部４２の延出方向に対し下方に向け屈曲させるように設定されている。このことは、長手状挟み込み部材４０ｃが、上述のごとく、長手状先端側傾動部４３にて、長手状開口部２４ｉを通り案内路部２４ｆに向け進入したとき、長手状先端側傾動部４３と案内路部２４ｆとの各対向面の間隔は均一になることを意味する。
【００８７】
複数の挟み込み部４４は、本実施形態では、３つの挟み込み部４４かなるもので、当該３つの挟み込み部４４は、図６にて示すごとく、長手状先端側傾動部４３の傾動方向端面（長手状開口部２４ｉ側の端面）にその長手方向に沿い順次隣接して突設されている。３つの挟み込み部４４は、それぞれ、円柱台の外周部の一部位を当該円柱台の半径に直交するように切除して形成されており、各挟み込み部４４は、その切除端面にて、長手状先端側傾動部４３の傾動方向端面に固着されて長手状開口部２４ｉ側へ突設されている。
【００８８】
ここで、３つの各挟み込み部４４のうち互いに隣接する各両挟み込み部４４は、その外周面の各対向最接近部位の間に対し、糸を挟み込む程度の狭隙を付与されている。
【００８９】
以上のように構成した本実施形態において、当該パチンコ遊技機が、遊技者による遊技可能状態にあるものとする。このような状態において、遊技者がハンドルＨを操作していなければ、球発射装置１０は、そのロータリーソレノイド１１（図２参照）にて消磁のもとに、停止状態にある。
【００９０】
また、球送り装置２０において、球導入体Ａの傾動板２６は、コイル状捩りばね２６ａの捩り力を受けて、ピン２６ｂを基準として、案内路部２４ｆの凹所２４ｈの開口面から上方へ突出して上方傾動端に位置している（図１３〜図１５のいずれか参照）。
【００９１】
これに伴い、挟み込み機構Ｄでは、長手状挟み込み部材４０ｃが、傾動板２６の上方傾動端に対応したピン２６ｂ及び傘歯車４０ａの回動位置に応じて、球導入部材２４の長手状開口部２４ｉからその左方へ最も離れた傾動端（左方傾動端）に位置している（図６参照）。
【００９２】
また、電磁駆動体Ｃでは、現段階において、電磁石３０ａは、そのソレノイドの消磁のもとに、吸引力を発生していないため、傾動レバー３０ｂは、圧縮コイルスプリング３０ｃの引っ張り力を受けて、左方傾動端に位置する。
【００９３】
これに伴い、横方向回動体Ｂにおいては、球受け板２７が、左側円弧状係止片２７ｄにて、左方傾動端に位置する傾動レバー３０ｂの係止端部３１により左側へ押動されて、円筒状ボス２８を軸として、図６にて図示時計方向へ回動している。
【００９４】
従って、球受け板２７の凹所２７が球導入部材２４の球導入口部２４ｃから左側に外れて、当該球受け板２７の右側腕部２７ｃが、球導入部材２４の球導入壁部２４ａの球導入口部２４ｃに対向して位置する。このため、球導入口部２４ｃからの遊技球の導入が阻止されている（図１４参照）。なお、図１４にて示す遊技球は、現段階では、存在しないものとする。
【００９５】
このような状態において、ハンドルＨが遊技者により回動操作されると、球発射装置１０が、そのロータリーソレノイド１１にて、槌駆動回路（図示しない）により駆動されて、ハンドルＨの回動操作角度に応じて、上記槌を発射レール１３の球発射基端部に向けて回動させる。
【００９６】
現段階において、遊技球が、先行遊技球として、既に球発射レール１３の球発射基端部上に位置していれば、当該先行遊技球は、上記槌の上記槌部によって打たれて球発射レール１３に沿い上記ガイドレールに向けて発射される。このように発射された先行遊技球は上記ガイドレールの内側レール部及び外側レール部の間を通り上記遊技領域内に案内される。これに伴い、当該先行遊技球は、遊技盤ＢＢの盤面に沿い各種の盤面部品のいずれかに向け或いはこの盤面部品からそれて転動していく。
【００９７】
然る後、上記先行遊技球に後続する遊技球が、後続遊技球として、球受け皿Ｓから球送り装置２０の球導入口部２４ｃに向けて導出される。このような段階にて電磁駆動体Ｃの電磁石３０ａが、そのソレノイドにて、制御回路３０ｄから電圧を印加されると、電磁石３０ａは、そのソレノイドの励磁のもとに、傾動レバー３０ｂを圧縮コイルスプリング３０ｃに抗して傾動させる。これに伴い、傾動レバー３０ｂは、左側傾動端から右方へ傾動し、その係止端部３１にて、係止片２７ｄを介して、横方向回動体Ｂの球受け板２７を、支持軸２９の軸周りに右側へ回動させて、凹部２７ａを球導入口部２４ｃに対向させる。
【００９８】
このような段階において、上述の後続遊技球が、球導入口部２４ｃにより導入されると、当該後続遊技球は、球受け板２７の凹部２７ａにより受承される。然る後、電磁石３０ａのソレノイドが、制御回路３０ｄからの電圧印加停止により消磁されると、球受け板２７が、左側へ回動して、右側腕部２７ｃにて、球導入口部２４ｃに対向してその後の遊技球の導入を阻止するとともに、凹部２７ａにて球導入口部２４ｃから左方へ外れて、上述の受承後続遊技球を案内路部２４ｄ上に放出する。これに伴い、当該後続遊技球は、さらに案内路部２４ｆにより案内されて、球送り口部２２ｆから発射レール１３の球発射基端部側に送られる（図１３〜図１８参照）。なお、このような段階では、後続遊技球は、糸付き遊技球ではない。
【００９９】
このような案内路部２４ｆによる案内過程において、傾動板２６は、上記後続遊技球によりその自重でもって捩りばね２６ａに抗して上方から押動されて凹所２４ｈ内へ傾動し、前記受承遊技球の自重からの開放に伴い捩りばね２６ａにより凹所４ｈから上方へ傾動する。
【０１００】
また、ピン２６ｂが、上述のような傾動板２６の凹所２４ｈ内への傾動に伴い回動し、この回動に応じた挟み込み機構Ｄの両傘歯車４０ａ、４０ｂの回動のもとに、長手状挟み込み部材４０ｃが、球導入部材２４の左側壁部２４ｅの長手状開口部２４ｉを通り案内路部２４ｆに向け進入する。また、ピン２６ｂは、上述のような傾動板２６の凹所２４ｈから上方への傾動に伴い逆回動し、この逆回動に応じた両傘歯車４０ａ、４０ｂの逆回動のもとに、長手状挟み込み部材４０ｃが、球導入部材２４の左側壁部２４ｅの長手状開口部２４ｉから脱出する方向に傾動する。
【０１０１】
ここで、上述の後続遊技球が不正な糸付き遊技球１００である場合、この糸付き遊技球１００が、上述のように案内路部２４ｆにより傾動板２６に向け案内されると、傾動板２６は、当該糸付き遊技球１００によりその自重でもって凹所２４ｈ内に向け捩りばね２６ａに抗して傾動した後、当該糸付き遊技球１００の自重から開放されて、凹所２４ｈから上方へ傾動する。なお、糸付き遊技球１００は、遊技球に糸１０１の一端部を固着してなるもので、当該糸１０１の他端部は、受け皿Ｓ内にて遊技者により把持されているものとする。
【０１０２】
このような過程においては、糸付き遊技球１００は、傾動板２６を介し糸１０１を付随させながら案内されることになる。一方、長手状挟み込み部材４０ｃが球導入部材２４の左側壁部２４ｅの長手状開口部２４ｉを通り案内路部２４ｆに向け進入して、各挟み込み部４４を通り案内路部２４ｆの上面に糸１０１を介して対向させることとなる。このため、糸１０１が、各挟み込み部４４の間に挟み込まれる。
【０１０３】
従って、このように挟み込まれた糸付き遊技球１００は、自由に移動できなくなり、球発射装置１０の球発射レール１３上の発射位置まで移動することができなくなったり、発射位置まで移動して発射されても遊技領域まで到達することが困難になる。その結果、遊技者が、糸付き遊技球１００の糸の他端部を用いて不正行為を行おうとしても、当該不正行為が不能となり未然に防止され得る。
【０１０４】
なお、本発明の実施にあたり、上記実施形態にて述べた球送り装置２０において、球案内路２４ｇ、即ち、両案内路部２４ｄ、２４ｆは、球導入部材２４の環状壁部２４ｂとは別体に形成されていてもよい。
【符号の説明】
【０１０５】
Ｂ…横方向回動体、Ｃ…電磁駆動体、Ｄ…挟み込み機構、Ｓ…球受け皿、
１０…球発射装置、２０…球送り装置、２１…前側ケーシング部材、
２２…後側ケーシング部材、２２ｆ…球送り口部、２４…球導入部材、
２４ｃ…球導入口部、２４ｈ…凹所、２４ｄ、２４ｆ…案内路部、
２４ｇ…球案内路、２６…傾動板、２６ａ…捩りばね、
２９…支持軸、２７…球受け板、２７ａ…凹部、２７ｂ…左側腕部、
２７ｃ…右側腕部、４０ａ、４０ｂ…傘歯車、４０ｃ…長手状挟み込み部材。
【図１】
0005822461.tif 000002
【図２】
0005822461.tif 000003
【図３】
0005822461.tif 000004
【図４】
0005822461.tif 000005
【図５】
0005822461.tif 000006
【図６】
0005822461.tif 000007
【図７】
0005822461.tif 000008
【図８】
0005822461.tif 000009
【図９】
0005822461.tif 000010
【図１０】
0005822461.tif 000011
【図１１】
0005822461.tif 000012
【図１２】
0005822461.tif 000013
【図１３】
0005822461.tif 000014
【図１４】
0005822461.tif 000015
【図１５】
0005822461.tif 000016
【図１６】
0005822461.tif 000017
【図１７】
0005822461.tif 000018
【図１８】
0005822461.tif 000019